(57)【要約】【課題】  既存の各種のロータンクに収容可能なコンパクトな便器洗浄装置及び便器洗浄システムを提供することを目的とする。【解決手段】  排水バルブを有するロータンクに取り付け可能な便器洗浄装置であって、モータと前記モータの出力を減速する減速手段とを収容した筺体と、前記筺体から第１の方向に突出し、手動による駆動力を入力可能とした入力軸と、前記筺体から前記第１の方向とは反対の第２の方向に突出し、前記入力軸及び前記減速手段から出力可能な第１の出力軸と、を備え、前記モータの駆動軸は、前記第２の方向に突出し、前記減速手段よりも前記モータのほうが前記入力軸の突出端に近接して配置されたことを特徴とする便器洗浄装置およびシステムを提供する。【選択図】  図１
2005036634.tif 000002
【特許請求の範囲】
【請求項１】
排水バルブを有するロータンクに取り付け可能な便器洗浄装置であって、
モータと前記モータの出力を減速する減速手段とを収容した筺体と、
前記筺体から第１の方向に突出し、手動による駆動力を入力可能とした入力軸と、
前記筺体から前記第１の方向とは反対の第２の方向に突出し、前記入力軸及び前記減速手段から出力可能な第１の出力軸と、
を備え、
前記モータの駆動軸は、前記第２の方向に突出し、
前記減速手段よりも前記モータのほうが前記入力軸の突出端に近接して配置されたことを特徴とする便器洗浄装置。
【請求項２】
前記入力軸の前記第１の方向に対して垂直な断面形状は、回転対称であり、
前記第１の出力軸の前記第２の方向に対して垂直な断面形状は、回転対称であることを特徴とする請求項１記載の便器洗浄装置。
【請求項３】
前記入力軸の前記第１の方向に対して垂直な前記断面形状の回転対称の次数は、４であり、
前記第１の出力軸の前記第２の方向に対して垂直な前記断面形状の回転対称の次数は、４であることを特徴とする請求項２記載の便器洗浄装置。
【請求項４】
排水バルブを有するロータンクに取り付け可能な便器洗浄装置であって、
モータと前記モータの出力を減速する減速手段とを収容した筺体と、
前記筺体から第１の方向に突出し、手動による駆動力を入力可能とした入力軸と、
前記筺体から前記第１の方向とは反対の第２の方向に突出し、前記入力軸及び前記減速手段から出力可能な第１の出力軸と、
を備え、
前記入力軸の前記第１の方向に対して垂直な断面形状は、９０°を単位とする回転対称であり、
前記第１の出力軸の前記第２の方向に対して垂直な断面形状は、９０°を単位とする回転対称であることを特徴とする便器洗浄装置。
【請求項５】
前記入力軸と前記第１の出力軸とは、略同軸に配置されてなることを特徴とする請求項１〜４のいずれか１つに記載の便器洗浄装置。
【請求項６】
前記減速手段から出力された第２の出力軸をさらに備えたことを特徴とする請求項１〜５のいずれか１つに記載の便器洗浄装置。
【請求項７】
前記第１の出力軸と前記第２の出力軸とは、異なる減速比を有することを特徴とする請求項６記載の便器洗浄装置。
【請求項８】
前記筺体は、前記ロータンクの内部に収容可能な駆動部と、前記駆動部に接続され前記ロータンクの壁面に設けられた開口を介してその外側に突出可能な螺合突出部と、を有し、
前記モータ及び前記減速手段は、前記駆動部に内蔵されたことを特徴とする請求項１〜７のいずれか１つに記載の便器洗浄装置。
【請求項９】
厚みが一様でないワッシャをさらに備え、
前記螺合突出部に挿入した前記ワッシャと前記ロータンクの壁面とが当接するように前記螺合突出部を螺旋止めすることにより、前記ワッシャの厚みの分布に応じた取り付け角度で取り付け可能とされたことを特徴とする請求項８記載の便器洗浄装置。
【請求項１０】
前記ワッシャは、少なくとも２以上の異なる角度で前記螺合突出部に挿入可能とされたことを特徴とする請求項９記載の便器洗浄装置。
【請求項１１】
前記ワッシャは、前記ロータンクの壁面と当接する面から突出した少なくともひとつのリブを有し、
前記ワッシャと前記ロータンクの壁面とが当接するように前記螺合突出部が螺旋止めされた状態において、前記リブは、前記ロータンクの壁面に設けられた前記開口と前記螺合突出部との隙間に挿入され少なくともその一部が潰された状態となることを特徴とする請求項９または１０に記載の便器洗浄装置。
【請求項１２】
前記第１及び第２の出力軸の少なくともいずれかに固定可能とされたシャフトと、
接続部と、先端部と、を有し、前記接続部において前記シャフトに接続可能とされたスペーサと、
をさらに備え、
前記シャフトの断面形状と、前記スペーサの前記先端部の断面形状と、が実質的に同一であることを特徴とする請求項１〜１１のいずれか１つに記載の便器洗浄装置。
【請求項１３】
前記シャフトと、前記スペーサの前記先端部と、のいずれにも取り付け可能とされた玉鎖レバーをさらに備えたことを特徴とする請求項１２記載の便器洗浄装置。
【請求項１４】
前記玉鎖レバーは、略対向する第１の面と前記第２の面とを有し、
前記第１の面と第２の面との間を貫通する挿入穴が設けられ、
前記挿入穴に対して、前記シャフト及び前記スペーサの前記先端部のいずれも挿入可能とされ、
前記シャフトまたは前記スペーサの前記先端部の少なくともいずれかを前記挿入穴に対して前記第１の面から挿入した時の前記玉鎖レバーの突出方向と、前記シャフトまたは前記スペーサの前記先端部の少なくともいずれかを前記挿入穴に対して前記第２の面から挿入した時の前記玉鎖レバーの突出方向と、が異なることを特徴とする請求項１３記載の便器洗浄装置。
【請求項１５】
前記第１及び第２の出力軸の少なくともいずれかに固定可能とされた玉鎖レバーであって、
前記第１及び第２の出力軸の少なくともいずれかに固定される固定部と、
一端が前記固定部に接続された略Ｕ字状の屈曲部と、
前記屈曲部の他端に接続された玉鎖接続部と、
を有する玉鎖レバーをさらに備えたことを特徴とする請求項１〜１１のいずれか１つに記載の便器洗浄装置。
【請求項１６】
請求項１〜１５のいずれか１つに記載の便器洗浄装置と、
前記便器洗浄装置の動作を制御する制御信号を供給する制御部と、
を備えたことを特徴とする便器洗浄システム。
【請求項１７】
前記制御部が便座に設けられたことを特徴とする請求項１６記載の便器洗浄システム。
【請求項１８】
前記便座は、使用者の局部を水または温水により洗浄する局部洗浄装置も有することを特徴とする請求項１７記載の便器洗浄システム。
【発明の詳細な説明】
【技術分野】
【０００１】
本発明は、便器洗浄装置及び便器洗浄システムに関し、より詳細には、水洗便器のロータンクに取り付けて、電動によりロータンクから水洗便器に洗浄水を供給可能とした便器洗浄装置及び便器洗浄システムに関する。
【背景技術】
【０００２】
水洗便器のロータンクに関する技術開発の歴史は長く、例えば、ロータンクの表面の結露を防ぐための防露構造（例えば、特許文献１）、排水機構（例えば、特許文献２）、作動機構（例えば、特許文献３）、操作機構（例えば、特許文献４）、ハンドル装置（例えば、特許文献５）、大小洗浄水の流し分け機構（例えば、特許文献６）、ロータンク外側に設ける電磁駆動手段（例えば、特許文献７）などが開示されている。
【０００３】
手動及び電動のいずれにても水洗便器に洗浄水を供給可能とした便器洗浄装置として、本発明者らは、ロータンクのレバー装置を開示した（特許文献８）。このレバー装置は、モータを内蔵したスピンドル電動装置をロータンクの内部に収容可能とし、且つロータンクのレバー開口からロータンク外の突出するねじ付カラムを設けたものである。このねじ付きカラムにロータンクの外側からナットを螺合させ、スピンドル電動装置の基端部との間にロータンクの外壁を強く挟持することにより、スピンドル電動装置を固定可能とした。かかる構成により、レバー装置の取り付けが容易となり、さらにレバーとロータンクとの隙間を、旧来の手回し式のロータンクのものと変わらない程度まで抑え、見栄えを良くすることができた。
【特許文献１】実開昭５５−５４４８５号公報
【特許文献２】特開昭５７−３３６４１号公報
【特許文献３】実開昭５５−１０６２８３号公報
【特許文献４】実開昭５６−５５０８５号公報
【特許文献５】実開昭５７−３８８７５号公報
【特許文献６】特開昭６０−１００２６号公報
【特許文献７】特開昭６０−５５１３６号公報
【特許文献８】特開２００１−６５０２８号公報
【発明の開示】
【発明が解決しようとする課題】
【０００４】
すでに市場には、各種のロータンクが出回っている。これらのできるだけ多くの機種に適合でき、取り付けも容易な便器洗浄装置が実現できれば、ユーザは、ロータンクを買い換えることなく電動洗浄の恩恵に浴することができる。
【０００５】
しかしながら、前述した特許文献１乃至８の記載からも分かるように、これら既存のロータンクの形状、構造、サイズは、実に多種多様である。このため、これらに共通に取り付けて動作させることができる便器洗浄システムを実現するためには、技術的な高度ないくつかのブレイクスルーが必要である。
【０００６】
図５９は、既存のロータンクの形態のいくつかを例示する模式図である。すなわち、同図（ａ）に表したものは、ロータンク２００の正面左側に操作ハンドル１００が設けられた、いわゆる「前ハンドル型」のロータンクである。また、図５９（ｂ）に表したものは、ロータンク２００の向かって右側側面に操作ハンドル１００が設けられた、いわゆる「右ハンドル型」のロータンクである。一方、図５９（ｃ）に表したものは、手洗い室のコーナーに配置可能な、いわゆる「隅付き型」のロータンクである。
【０００７】
これらの具体例からも分かるように、ロータンクの外形状とその操作ハンドル１００の取り付け位置だけを見ても、各種の形式が存在する。そしてさらに、これら既存のロータンクにおいて、タンク内壁に設けられる防露層やインナータンク、給水金具、手洗い用ホース、ボールタップ、オーバーフロー管などのサイズや配置関係、あるいは、これらの上部に設けられる「手洗い用ボール」の形状や深さなどは、実に多種多様である。
【０００８】
従って、これら多種多様な既存のロータンク内に共通的に収容可能とするためには、便器洗浄装置のサイズ、形状、出力の取り出し方法などに関してさらなる工夫が必要とされる。
【０００９】
本発明はかかる課題の認識に基づいてなされたものであり、その目的は、既存の各種のロータンクに収容可能なコンパクトな便器洗浄装置及び便器洗浄システムを提供することを目的とする。
【課題を解決するための手段】
【００１０】
上記目的を達成するため、本発明の第１の便器洗浄装置は、排水バルブを有するロータンクに取り付け可能な便器洗浄装置であって、モータと前記モータの出力を減速する減速手段とを収容した筺体と、前記筺体から第１の方向に突出し、手動による駆動力を入力可能とした入力軸と、前記筺体から前記第１の方向とは反対の第２の方向に突出し、前記入力軸及び前記減速手段から出力可能な第１の出力軸と、を備え、前記モータの駆動軸は、前記第２の方向に突出し、前記減速手段よりも前記モータのほうが前記入力軸の突出端に近接して配置されたことを特徴とする。
【００１１】
上記構成によれば、ロータンクの内壁に設けられた防露層やインナー層、及び直上に設けられる蓋の間の空間に、モータを効率よく収容でき、便器洗浄装置の長さと高さを最小に抑えることができる。その結果として、既存の各種のロータンクの内部に設けられた部材と干渉することなく、収容することが可能となる。
【００１２】
ここで、前記入力軸の前記第１の方向に対して垂直な断面形状は、回転対称であり、前記第１の出力軸の前記第２の方向に対して垂直な断面形状は、回転対称であるものとすれば、便器洗浄装置がロータンクの中で他の部品と干渉するような場合に、その回転対称の次数に対応した角度だけ回転させて逃がすことが可能となる。入力軸と出力軸の断面を回転対称としたことにより、それらに接続する部材の角度関係を変えずに済む。
【００１３】
特に、前記入力軸の前記第１の方向に対して垂直な前記断面形状の回転対称の次数は、４であり、前記第１の出力軸の前記第２の方向に対して垂直な前記断面形状の回転対称の次数は、４であるものとした場合、９０°を単位として便器洗浄装置を回転させても、入力軸及び出力軸に接続する部材の角度関係を初期の関係に維持できる。その結果として、ロータンクへの取り付けの自由度をさらに増すことができる。
【００１４】
一方、本発明の第２の便器洗浄装置は、排水バルブを有するロータンクに取り付け可能な便器洗浄装置であって、モータと前記モータの出力を減速する減速手段とを収容した筺体と、前記筺体から第１の方向に突出し、手動による駆動力を入力可能とした入力軸と、前記筺体から前記第１の方向とは反対の第２の方向に突出し、前記入力軸及び前記減速手段から出力可能な第１の出力軸と、を備え、前記入力軸の前記第１の方向に対して垂直な断面形状は、９０°を単位とする回転対称であり、前記第１の出力軸の前記第２の方向に対して垂直な断面形状は、９０°を単位とする回転対称であることを特徴とする。
【００１５】
上記構成によれば、やはり便器洗浄装置がロータンクの中で干渉が生じた場合に、入力軸や出力軸に接続される部材の接続角度を変えることなく、９０°回転させて逃がすことが可能となる。
【００１６】
また、前記入力軸と前記第１の出力軸とは、略同軸に配置されてなるものとすることができ、便器洗浄装置のサイズをコンパクトにできると同時に、手動入力の伝達機構も簡略化でき、機械的な信頼性も向上する。
【００１７】
また、前記減速手段から出力された第２の出力軸をさらに備えたものとすれば、ロータンクの形式に応じて、これら第１及び第２の出力軸を適宜使い分けて、確実且つ迅速な洗浄動作を確保できる。
【００１８】
また、前記第１の出力軸と前記第２の出力軸とは、異なる減速比を有するものとすれば、ロータンクの形式に応じて、排水バルブを開けるためのトルクや回転角度が異なる場合に、これら第１及び第２の出力軸を適宜使い分けて、確実且つ迅速な洗浄動作を確保できる。
【００１９】
また、前記筺体は、前記ロータンクの内部に収容可能な駆動部と、前記駆動部に接続され前記ロータンクの壁面に設けられた開口を介してその外側に突出可能な螺合突出部と、を有し、前記モータ及び前記減速手段は、前記駆動部に内蔵されたものとすれば、ロータンクの内部に収容される部分のサイズを最小とし、同時に、モータが収容された駆動部の側壁をロータンクの内壁に隣接させ、螺合突出部をナット締めしたときに、駆動部とナットによりロータンク壁面を挟持して確実に固定でき、しかもロータンク内壁にモータを隣接させ、効率的な空間の利用が実現できる。
【００２０】
また、厚みが一様でないワッシャをさらに備え、前記螺合突出部に挿入した前記ワッシャと前記ロータンクの壁面とが当接するように前記螺合突出部を螺旋止めすることにより、前記ワッシャの厚みの分布に応じた取り付け角度で取り付け可能とされたものとすることができる。このワッシャを介して固定することにより、ロータンクの中において便器洗浄装置を所望の角度だけ傾斜させて取り付けることが可能となり、ロータンクの内容物、例えば、蓋の手洗い鉢の底面や、オーバーフロー管などの部材と便器洗浄装置との干渉を防ぐことができる。その結果として、より広範な種類のロータンクに適合させることができる。
【００２１】
また、前記ワッシャは、少なくとも２以上の異なる角度で前記螺合突出部に挿入可能とすることにより、ロータンクの中における便器洗浄装置の傾斜方向を適宜選択でき、ロータンクの内容物、例えば、蓋の手洗い鉢の底面や、オーバーフロー管などの部材と便器洗浄装置との干渉を防ぐことができる。その結果として、より広範な種類のロータンクに適合させることができる。
【００２２】
また、前記ワッシャは、前記ロータンクの壁面と当接する面から突出した少なくともひとつのリブを有し、前記ワッシャと前記ロータンクの壁面とが当接するように前記螺合突出部が螺旋止めされた状態において、前記リブは、前記ロータンクの壁面に設けられた前記開口と前記螺合突出部との隙間に挿入され少なくともその一部が潰された状態となるようにすることができる。このようにすれば、ロータンクとの取り付け部の「がた」を防いで、確実に固定することができる。
【００２３】
また、前記第１及び第２の出力軸の少なくともいずれかに固定可能とされたシャフトと、接続部と、先端部と、を有し、前記接続部において前記シャフトに固定可能とされたスペーサと、をさらに備え、前記シャフトの断面形状と、前記スペーサの前記先端部の断面形状と、が実質的に同一であるものとすれば、シャフトのみでも、スペーサを接続した状態においても、それらの先端部に同一の部品を固定でき、便利である。
【００２４】
また、前記シャフトと、前記スペーサの前記先端部と、のいずれにも取り付け可能とされた玉鎖レバーをさらに備えたものとすれば、シャフトに対してもスペーサーに対しても同一の玉鎖レバーを取り付けることができるため、部品点数を増やすことなく、広範な形式のロータンクに適合可能な便器洗浄装置を提供できる。
【００２５】
また、前記玉鎖レバーは、略対向する第１の面と前記第２の面とを有し、前記第１の面と第２の面との間を貫通する挿入穴が設けられ、前記挿入穴に対して、前記シャフト及び前記スペーサの前記先端部のいずれも挿入可能とされ、前記シャフトまたは前記スペーサの前記先端部の少なくともいずれかを前記挿入穴に対して前記第１の面から挿入した時の前記玉鎖レバーの突出方向と、前記シャフトまたは前記スペーサの前記先端部の少なくともいずれかを前記挿入穴に対して前記第２の面から挿入した時の前記玉鎖レバーの突出方向と、が異なるものとすれば、「大」と「小」の回転角度が異なる複数の形式のロータンクに適合可能な便器洗浄装置を提供できる。
【００２６】
また一方、前記第１及び第２の出力軸の少なくともいずれかに固定可能とされた玉鎖レバーであって、前記第１及び第２の出力軸の少なくともいずれかに固定される固定部と、一端が前記固定部に接続された略Ｕ字状の屈曲部と、前記屈曲部の他端に接続された玉鎖接続部と、を有する玉鎖レバーをさらに備えたものとすれば、ハンドルから玉鎖までの距離が短い、いわゆる「隅付き型」などのロータンクに適合可能な便器洗浄装置を提供できる。
【００２７】
一方、本発明の便器洗浄システムは、上記いずれかの便器洗浄装置と、前記便器洗浄装置の動作を制御する制御信号を供給する制御部と、を備えたことを特徴とする。上記構成によれば、ロータンクの内壁に設けられた防露層やインナー層、及び直上に設けられる蓋の間の空間に、モータを効率よく収容でき、便器洗浄装置の長さと高さを最小に抑えることができる。その結果として、既存の各種のロータンクの内部に設けれた部材と干渉することなく、設置することができる便器洗浄システムを提供できる。
【００２８】
また、前記制御部が便座に設けられたものすれば、独立した制御部を手洗い室の中に設置する必要がなくなり、コンパクト且つ見栄えよく、また配線の引き回しなども不要な便器洗浄システムを実現できる。
【００２９】
また、前記便座は、使用者の局部を水または温水により洗浄する局部洗浄装置も有するものとすれば、局部洗浄装置と電源部などを共有でき、同時に、局部洗浄機能も付加された高機能の自動便器システムが実現できる。
【発明の効果】
【００３０】
以上詳述したように、本発明によれば、便器洗浄装置を構成するモータ及び減速手段の配置関係を独特なものとすることにより、便器洗浄装置の形状を効率的なものとし、外寸を最小化できる。その結果として、すでに市場出回ってる各種のロータンクに収容することができる。
【００３１】
またさらに、本発明によれば、便器洗浄装置の入力及び出力のシャフトをその軸に対して９０°の回転対称とすることより、便座洗浄装置をこの軸に対して９０°づつ回転させてロータンクに取り付けた場合でも、これらシャフトに対するハンドルなどの部材の取り付け角度を不変に維持できる。その結果として、さらに多様な形式のロータンクに取り付けることができる便器洗浄装置を提供できる。その結果として、ユーザは、ロータンクを買い換えることなく電動洗浄の恩恵に浴することができる。
【発明を実施するための最良の形態】
【００３２】
以下、図面に示す実施例に基づいて本発明を説明する。  
図１は、本発明の実施の形態にかかる便器洗浄装置の要部配置関係を表す概念図である。  すなわち、同図は、本実施形態の便器洗浄装置１０を、ロータンク２００の内部に取り付けた状態を表す。なお、同図に例示したロータンク２００は、その外壁の「結露」を防ぐために発泡材などからなる防露層２０４が内壁面上に設けられたものである。また、タンクの上には、蓋２７０が設けられている。
【００３３】
本実施形態の便器洗浄装置１０は、入力シャフト２２と、減速手段４１と、モータ４２と、出力軸７０と、を備える。  
入力シャフト２２は、ロータンク２００の外壁に設けられた開口２０２を介してタンク外側に突出し、その先端には、図示しない操作ハンドルが適宜装着される。使用者がこの操作ハンドルを操作することにより、手動による回転駆動力Ａが入力可能とされている。
【００３４】
減速手段４１は、複数のギアを有し、モータ４２の出力を減速して出力軸７０に伝達する。出力軸７０は、入力シャフト２２とは反対の方向に突出している。なお、後に詳述するように、出力軸７０とは別に第２の出力軸を設け、減速手段４１からの出力を取り出し可能としてもよい。
【００３５】
出力軸７０は、入力シャフト２２と略平行に設けられ、且つ入力シャフト２２と結合され、ロータンク２００の内部に向けて突出している。また同時に、出力軸７０は、減速手段４１とも適宜結合され、その出力も取り出し可能とされている。本発明の望ましい実施の形態においては、出力軸７０と入力シャフト２２とは同軸とされているが、本発明はこれに限定されない。出力軸７０の先端には、動力伝達部材（図示せず）が適宜装着され、手動入力Ａまたは減速手段４１からの出力によって、ロータンク２００内に設けれた排水バルブの開動作を可能としている。
【００３６】
以上説明した構成において、まず、モータ４２と、減速手段４１との配置関係について説明すると、入力シャフト２２の突出端から見て、減速手段４１よりもモータ４２の方が近接して設けられている。つまり、減速手段４１よりもモータ４２の方がロータンクの壁面２００に近接して配置されている。また、モータ４２は、その駆動軸４２Ａが出力軸７０及び入力シャフト２２と略平行とされ、出力軸７０と同方向、すなわちロータンク２００の内側に向けて配置されている。
【００３７】
図１から分かるように、本発明の便器洗浄装置１０を取り付けるためのロータンクの開口２０２の直下には、防露層２０４が接近して設けられている。また、既存の殆どのロータンクにおいて、開口２０２は、タンクの上端に接近して設けられているため、その直上には、タンクの蓋２７０が接近している。さらに、多くのタンクの場合、この蓋２７０は、「手洗い鉢」を兼ねている。このため、蓋２７０は、タンク側壁から遠ざかるにつれて、下方に突出し、本発明の便器洗浄装置１０に接近する。
【００３８】
これに対して、本発明によれば、便器洗浄装置１０を構成する各要素を図１に表したような独特の配置関係とすることにより、防露層２０４とも、蓋２７０とも干渉することを防ぎ、また同時に、タンク内壁２００からの長さＬと、入出力軸方向に対して垂直な方向の高さＨを、いずれも最小とすることができる。
【００３９】
図２及び図３は、本発明者が本発明に至る過程で検討した比較例の便器洗浄装置を表す概念図である。すなわち、図２に表した比較例の場合、モータ４２は、本発明とは逆向き、すなわち、その駆動軸４２Ａをタンク内壁２００に向けて配置されている。さらに、モータ４２は、タンク内壁２００から見て減速手段４１よりも遠くに配置されている。このような配置の場合、便器洗浄装置の長さＬが大きくなってしまう。長さＬが大きくなると、タンク内部に設けられている各種の部品、例えば、給水金具、オーバーフロー管、手洗い用ホース、リフィール管、玉鎖などのいずれかと干渉する場合が乗ずる。また、図５９（ｃ）に例示したような「隅付き型」のロータンクの場合、開口２０２の位置によっては、タンク側面の内壁に干渉する場合も生じうる。
【００４０】
減速手段４１は、例えば１／１００程度の減速比が必要とされ、４段乃至５段の減速ギアが必要とされる。このため、そのサイズを最大限縮小したとしても、防露層２０４と干渉してしまい、タンク内壁２０に隣接して配置することは困難である。
【００４１】
一方、図３に表した比較例の場合、モータ４２は、入力シャフト２２及び出力軸７０と直交し、減速手段４１の下方に設けられている。この比較例の場合、高さＨが大きくなってしまう。このように高さＨが増加すると、やはり前述したものと同様に、タンク内部に設けられている各種の部材と干渉する場合が生ずる。またさらに、防露層２０４との干渉を避けるためにモータ４２を配置すると、長さＬも大きくなるおそれがある。
【００４２】
これに対して、本実施形態の便器洗浄装置の場合、図１に表したように、防露層２０４と蓋２７０との間の空間において、タンク内壁に近接させてモータ４２を収容することにより、限られた空間を極めて効率的に利用できる。そして、減速手段２０４を防露層２０４に近接させて配置する。その結果として、長さＬと高さＨをいずれも最小化でき、タンク内部に設けられている各種の部材との干渉を最小に抑えることができる。
【００４３】
以下、本発明の便器洗浄装置について具体例を挙げつつさらに詳細に説明する。
【００４４】
図４は、本発明の実施例の便器洗浄装置の要部を表す斜視図である。すなわち、この便器洗浄装置１０は、螺合突出部２０と、駆動部４０と、を有する。螺合突出部２０の先端には、シャフト２２が突出している。駆動部４０の内部には、モータと減速手段とが、図１に関して前述したような独特の配置関係で設けられている。一方、駆動部４０のタンク内向面には、第１の出力軸７０と第２の出力軸７２とが設けられている。これら第１及び第２の出力軸７０、７２は、駆動部４０に内蔵されたモータ及び減速手段を介した回転トルクをそれぞれ出力する。後に詳述するように、これら第１及び第２の出力軸７０、７２を適宜使い分けることにより、各種のロータンクに柔軟に適合させることが可能となる。なお、第１の出力軸７０が出力する回転トルクと、第２の出力軸７２が出力する回転トルクは、互いに異なるものすることが望ましい。また、駆動部４０には、外部から駆動用電圧または駆動用電流を供給するための接続用コード７６が接続されている。
【００４５】
また、操作ハンドル１００を手動により操作した場合にも、シャフト２２を介して手動回転トルクが出力軸７０、７２にそれぞれ伝達される。この際に、駆動部４０に内蔵されるモータのコギングトルクの付加を防ぐため、モータの動作軸に所定の空転角を与えたり、またはクラッチ機構などを付加するとよい。この点については、本発明者らが先に出願した特願２００２−２９２５０８号に記載した構成を採用することができる。
【００４６】
そして、図４に表したように、第１の出力軸７０には、シャフト８０がネジ８１によって装着される。本発明の第２の特徴は、このシャフト８０及びこれと対向して反対側に突出したシャフト２２の断面形状にある。すなわち、これらシャフト２２及び８０の断面は、回転対称とすることができる。例えば、本実施例の場合、これらシャフト２２及び８０の断面は、その中心軸の周りに９０°毎の回転対称となる形状を有する。
【００４７】
図５乃至図９は、シャフト８０が装着された便器洗浄装置１０をそれぞれ異なる方向から眺めた模式図である。  
また、図１０及び図１１は、シャフト２２の側から眺めた模式図である。    
これらの図面からも分かるように、本実施例においては、シャフト８０は、その軸に対して垂直な断面が略十字状であり、９０°を単位とする回転対称形状とされている。すなわち、４次の回転対称である。また、シャフト２２は、その軸に対して垂直な断面が略正方形状であり、やはり９０°を単位とする回転対称である。すなわち、４次の回転対称である。
【００４８】
また、図１１に表したように、便器洗浄装置１０の螺合突出部２０は、取り付け用ナットと係合する螺旋溝が形成された螺合部２０Ａと、その根本の略四角柱状の突出基部２０Ｂと、を有する。螺合部２０Ａには、その中心軸のまわりに９０°毎にスリット２０Ｃが設けられている。また、突出基部２０Ｂの側壁には、リブ２０Ｄが適宜設けられている。このリブ２０Ｄは、後に詳述するように、ロータンク２００の開口に対して取り付ける際の「がた」を吸収する役割を有する。
【００４９】
このように、便器洗浄装置１０の入力軸（シャフト２２）及び出力軸（シャフト８０）の断面を４次の回転対称形状とすれば、便器洗浄装置１０を９０°毎に回転させてロータンク２００に取り付けることができる。つまり、便器洗浄装置１０の取り付け角度を９０°毎に回転させても、シャフト２２に取り付ける操作ハンドル１００や、シャフト８０に取り付ける動力伝達部材などの取り付け角度などは変化しない。その結果として、便器洗浄装置１０の適合範囲をさらに拡げることができる。
【００５０】
例えば、２重構造のロータンクにおいて、便器洗浄装置１０を取り付けるタンク開口２０２に、内側タンクの側壁が接近するため、図１０に表した向きでは、減速手段４１の下方の張り出し部が干渉する場合がある。このような場合には、図１１に表したように、便器洗浄装置１０をシャフト２２を中心に９０°回転させて、取り付けることができる。
【００５１】
具体的には、図１２に例示したような取り付け角度（図１１と同様の角度）で便器洗浄装置１０をロータンク２００に取り付けた場合には、便器洗浄装置１０の下側の「張り出し」を最小にすることができるので、内側タンクや防露層などと便器洗浄装置１０との干渉を防ぐことができる。なお、図１２（ａ）には、まず、モータ駆動ユニット１２の接続ケーブル７６をスリットカバーに通す工程を併せて表した。
【００５２】
また一方、図１３に例示したような角度（図１０と同様の角度）で取り付けた場合には、便器洗浄装置１０の上側の「張り出し」を最小にできるので、例えば、ロータンク２００の上の蓋に設けられる手洗いボール（図示せず）の底面などと便器洗浄装置１０との干渉を防ぐことができる。
【００５３】
本発明によれば、このように便器洗浄装置１０を９０°回転させても、そのシャフト２２、８０の断面形状は不変であるので、操作ハンドル１００や動力伝達部材などの取り付け関係に変化は生じない。その結果として、便器洗浄装置１０をさらに広範な各種の形式のロータンクに適合させることが可能となる。
【００５４】
また、上記具体例においては、４次の回転対称である場合について説明したが、本発明はこれに限定されない。
【００５５】
図１４（ａ）〜（ｃ）は、それぞれ５次、６次、８次の回転対称の基本形を表す概念図である。すなわち、本実施形態におけるシャフト２２及び出力軸７０の断面を、それぞれ図１４（ａ）の如く５次の回転対称とすれば、便器洗浄装置１０を７２°づつ回転させて、ロータンク２００内における干渉を防ぐことができる。  
また、同様に、シャフト２２及び出力軸７０の断面を、それぞれ図１４（ｂ）の如く６次の回転対称とすれば、便器洗浄装置１０を６０°づつ回転させて、ロータンク２００内における干渉を防ぐことができる。
【００５６】
さらに、シャフト２２及び出力軸７０の断面を、それぞれ図１４（ｃ）の如く８次の回転対称とすれば、便器洗浄装置１０を４５°づつ回転させて、ロータンク２００内における干渉を防ぐことができる。
【００５７】
ここで、図１４（ａ）〜（ｃ）は、回転対称となる基本形を例示したものにすぎず、これらを応用した実際のシャフト２２及び出力軸７０の断面形状は、より複雑なものとしてもよい。例えば、図１５は、図１４（ｃ）に例示した８次の回転対称の具体例を表す断面図である。本具体例の場合、８方向に均等に伸びる突起が設けられている。このような形状をはじめとして、種々な変形を加えることができる。
【００５８】
また一方、図６及び図７に表したように、第１及び第２の出力軸７０、７２の脇に突出したリブ７０Ｒ、７２Ｒをそれぞれ設けることができる。これらリブ７０Ｒ、７２Ｒは、出力軸に取り付けられるシャフトなどと協働して、「ストッパ」の役割を果たす。例えば、図６及び図７に表したシャフト８０は、出力軸７０に対する取り付け部の根本付近に、突起８０Ｒを有する。シャフト８０が回転すると、この突起８０Ｒがリブ７０Ｒに当接し、回転が停止する。つまり、シャフト８０が回転可能な角度範囲を、リブ７０Ｒと突起８０Ｒとが当接しない範囲に規制することができる。従って、突起８０Ｒを適宜設けることにより、シャフト８０の回転範囲を規制でき、その回転ストロークを機械的に規制することができる。
【００５９】
また、第２の出力軸７２を用いる場合にも、その脇にあるリブ７２Ｒに当接するような突起を取り付け部品に適宜設けることより、出力軸７２に取り付けられた部品の回転範囲を機械的に規制することができる。
【００６０】
次に、ロータンクへの取り付け部に「傾斜ワッシャ」を設けた便器洗浄装置について説明する。
【００６１】
図１６は、傾斜ワッシャを介してロータンクに便器洗浄装置を取り付ける工程を表す組み立て図である。  
すなわち、便器洗浄装置１０の螺合突出部２０をロータンク２００の開口２０２に挿入し、ワッシャ９０、９１によりロータンク２００を挟むようにしてナット９２により締め付け固定する。この時に、ワッシャ９０、９１のそれぞれは、図示の如く、一端が厚く他端が薄い傾斜状に形成された「傾斜ワッシャ」とすることができる。
【００６２】
図１７は、このような傾斜ワッシャを用いた便器洗浄装置の取り付け部を拡大した一部断面図である。  
ワッシャ９０、９１として、その厚みに分布を設けた「傾斜ワッシャ」を用いることにより、ロータンク２００の壁面に対する便器洗浄装置１０の軸Ｃの相対角度を、所定の方向に所定の角度だけ傾斜させることができる。その結果として、ロータンク２００の中において、便器洗浄装置１０の配置関係を最適な角度に調節することができる。  
例えば、一般のロータンク２００は陶製であり、その製造工程における「型抜き」のために、上方に向けて開口がやや拡開するように形成されることが多い。つまり、ロータンク２００の側面は、鉛直方向に平行ではなく、傾斜している。このような場合に、図１７に例示した如く傾斜ワッシャ９０、９１を介して固定すれば、便器洗浄装置１０の軸Ｃが水平となるように取り付けることが可能となる。
【００６３】
また、これら傾斜ワッシャ９０、９１は、少なくとも２以上の異なる角度で螺合突出部２０に挿入可能とされている。つまり、ワッシャ９０、９１は、螺合突出部２０に対して所定の角度で回転させて取り付けることができるようにされている。具体的には、例えば、ワッシャ９０は、突出基部２０Ｂに対して９０°毎に回転させて挿入することができる。また、ワッシャ９１は、その突起９１Ｐが螺合突出部２０のスリット２０Ｃ（９０°刻みで設けられている）に係合するように挿入される。つまり、ワッシャ９１も、９０°刻みで回転させて螺合突出部２０に挿入できる。
【００６４】
その結果として、傾斜ワッシャ９０、９１を適宜回転させて取り付けることにより、便器洗浄装置１０を所望の方向に傾斜させて取り付けることが可能となる。
【００６５】
図１８は、ワッシャ９０をその上方が厚くなるように配置し、ワッシャ９１はその下方が厚くなるように配置して便器洗浄装置１０をロータンク２００に取り付ける工程を表す組み立て図である。  
このように傾斜ワッシャ９０、９１を配すれば、図１９に表したように、ロータンク２００の内部において、便器洗浄装置１０の先端が矢印の方向に下がるように取り付けることができる。その結果として、ロータンク２００の蓋に設けられる手洗い用鉢（図示せず）の底面と便器洗浄装置１０との干渉などを防ぐことができる。
【００６６】
一方、図２０は、ワッシャ９０は向かって右側が厚くなるように配置し、ワッシャ９１は向かって左側が厚くなるように配置して便器洗浄装置１０をロータンク２００に取り付ける工程を表す組み立て図である。  
このように傾斜ワッシャ９０、９１を配した場合には、図２１（ａ）に表したように、ロータンク２００の内部において、便器洗浄装置１０が矢印の方向（向かって左側）に傾斜するように取り付けることができる。その結果として、ロータンク２００の蓋に設けられる手洗い用鉢（図示せず）の底面や、その他ロータンク２００内に設けられるオーバーフロー管（図示せず）などの部品と便器洗浄装置１０との干渉などを防ぐことができる。
【００６７】
なお、図１６乃至図２１（ａ）は、一例に過ぎない。これらの他にも、例えば、ロータンク２００の中において便器洗浄装置１０が、向かって右側や、上方に向けて傾斜するように取り付けることもできる。また、図２１（ｂ）に表したように、操作ハンドル１００を装着した後に、「大」と「小」の区別のためのシールを貼り付けるようにしてもよい。
【００６８】
またさらに、ワッシャ９０に「リブ」を設けることにより、ロータンク２００に対する取り付けをさらに確実に行うことができる。
【００６９】
図２２は、リブ９０Ａが設けられた傾斜ワッシャ９０を表す模式図である。  
すなわち、ワッシャ９０には、ロータンク２００に当接する面から突出したリブ９０Ａが適宜設けられている。
【００７０】
図２３は、リブ９０Ａを有する傾斜ワッシャの取り付け部を拡大した一部断面図である。すなわち、便器洗浄装置の突出基部２０Ｂの側壁に形成されたリブ２０Ｄは、ワッシャ９０のスリット内に収容された状態となる。そして、ワッシャ９０に設けられたリブ９０Ａが、ロータンク２００の開口２０２に形成される隙間に圧入され、点線により表された部分が変形して潰されることにより隙間を埋めて、「がた」を防ぐことができる。
【００７１】
すなわち、一般のロータンク２００は陶製であるために、その開口２０２の寸法精度には限界がある。ロータンクの出来上がりの寸法ばらつきを考慮すると、便器洗浄装置の螺合突出部２０の外径は、ロータンクの開口２０２の実寸を常に下回るように決定する必要が生ずる。従って、開口２０２と螺合突出部２０との間には、ある程度の隙間が常に形成される。これに対して、傾斜ワッシャ９０にリブ９０Ａを設け、このリブ９０が、開口２０２の隙間に挿入され、その一部が変形して潰されるようにすれば、ロータンク２００の開口に取り付けた際の「がた」を防ぎ、確実に固定することができる。
【００７２】
なお、傾斜ワッシャ９０を、例えば樹脂などの有機材料により形成すれば、適切な締め付け応力によりリブ９０Ａを潰して確実に固定することができ、製造コストも抑制することができる。また、ロータンク２００の内側に設けられるワッシャ９０ではなく、外側のワッシャ９１にこのようなリブを設けてもよい。また、これらワッシャ９０、９１の両方にリブを設けてもよい。
【００７３】
なお、螺合突出部２０の突出基部２０Ｂに設けられたリブ２０Ｄも、同様の作用を有する。つまり、傾斜ワッシャ９０を介さずに便器洗浄装置１０をロータンク２００に取り付ける際に、これらのリブ２０Ｄが潰されて開口２０２における「がた」を防止する役割を有する。
【００７４】
また、本発明の便器洗浄装置１０において、螺合突出部２０の螺合部２０Ａの外径Ｄ１と、突出基部２０Ｂの外径Ｄ２と、をほぼ同一径とすることができる。このようにすると、螺合部２０Ａにおいても突出基部２０Ｂにおいても開口２０２における隙間を均一且つ最小にすることが可能となり、開口２０２の隙間を減らして、ロータンク２００に対する取り付けをさらに確実に行うことができる。
【００７５】
次に、便器洗浄装置１０から引き出される接続コード７６の取り出し部の構造について説明する。  
図２４は、接続コード７６の取り出し部を表す模式図である。  
すなわち、便器洗浄装置の駆動部４０には、耐水シール部７５が設けられ、接続コード７６は、このシール部７５から外部に引き出されている。耐水シール部７５を設けることにより、ロータンク２００内で水がかかったり結露が生じても、電気的なショートなどを防止できる。耐水シール部７５は、例えば、ゴム製のリング状ブッシュにより接続コード７６の導出部を覆うようにしたものを用いることができる。そしてさらに、接続コード７６は、耐水シール部７５から外部に引き出された後に、少なくともひとつの固定部７７により便器洗浄装置１０の本体に固定されている。このような固定部７７を設けて接続コード７６を固定することにより、シール部７５に過度の負荷が印加されて耐水性が損なわれる問題を解消できる。すなわち、接続コード７６を、シール部７５に対して横方向に引っ張るような負荷の発生を防ぐことができる。なお、接続コード７６の先端には、接続プラグ７８が適宜設けられ、後に詳述するように制御部あるいは駆動部に接続される。
【００７６】
次に、本実施例の便器洗浄装置１０の内部構造について具体例を挙げて説明する。  
図２５は、本実施例の便器洗浄装置の内部構造を模式的に表した概念図である。なお、同図は、動力伝達関係を説明するための概念図であり、各要素の寸法や配置関係などは、必ずしも実際の通りではない。  
本実施例の便器洗浄装置１０の内部には、駆動源であるモータ４２と、減速手段４１として５段のギア４３〜４７が設けられている。４段目のギア４６の回転トルクが第１の出力軸７０に出力される。また、５段目のギア４７の回転トルクが、第２の出力軸７２として出力される。モータ４２として、ＤＣ２４ボルトで動作するブラシ型の高速モータを用いた場合、１段目から４段目までの減速比は、およそ１／１００程度とすることができる。また、５段目のギアの減速比は、概ね１／２程度とすると各種のロータンクに適合させることが容易となる。
【００７７】
また、シャフト２２には、シャフトリターンスプリング５２が設けられ、中立状態に付勢される。同様に、４段目のギア４６にはギアリターンスプリング５３が設けられ、中立状態に付勢される。
【００７８】
また、操作ハンドル１００を用いた手動操作の際にモータ４２のコギングトルクの付加を防ぐため、４段目のギア４６は、シャフト２２に対して所定の空転角をもって結合されている。
【００７９】
図２６は、４段目のギア４６とシャフト２２との結合断面を表す模式図である。すなわち、４段目のギア４６の内心にシャフト２２が配置されている。シャフト２２は、操作ハンドル１００及び第１の出力軸７０に結合されている。そして、これらシャフト２２の外面とギア４６の内面には、凸部２２Ｐ、４６Ｐがそれぞれ設けられている。図２６は、中立状態を表し、この状態から矢印Ａの方向にシャフト２２（すなわち操作ハンドル１００）を回転させた場合、その凸部２２Ｐがギア４６の凸部４６Ｐと当接するまでの範囲においては、ギア４６から独立に回転させることができる。つまり、この範囲においては、シャフト２２は、モータ４２のコギングトルクや、ギアリターンスプリング５３の付加を受けることなく、回転させることができる。このようにして、操作ハンドル１００による手動操作を軽快に行うことができる。
【００８０】
一方、モータ４２により駆動させる際には、図２６に表した中立状態からギア４６が矢印Ｂの方向に空転し、その凸部４６Ｐがシャフト２２の凸部２２Ｐに当接すると、シャフト２２に結合されてトルクが出力軸に伝達される。つまり、凸部４６Ｐが凸部２２Ｐに当接するまでの範囲が空転角として設けられている。
【００８１】
以下、本発明の実施例として、図５９（ｂ）に例示した「右ハンドル型」と、同図（ａ）に例示した「前ハンドル型」について、本実施例の便器洗浄装置を取り付けた具体例を挙げて説明する。  
図２７は、「右ハンドル型」のロータンクに、本実施例の便器洗浄装置を取り付けた状態を表す斜視図である。また、図２８は、このロータンク２００の内部を上方から眺めた模式図である。  
また、図２９は、第１の出力軸７０にバルブ駆動用部品を取り付ける組み立て図であり、図３０及び図３１は、この便器洗浄装置をロータンク２００に取り付ける組み立て図である。
【００８２】
まず、図２９に表したように、第１の出力軸７０に装着したシャフト８０を、スペーサ８２に挿入してピン８３により固定し、その先端付近に玉鎖レバー８４、８５をそれぞれピン８６により装着する。この時、スペーサ８２に設けたシャフト８０の挿入穴も、略十字状の開口形状を有する。従って、便器洗浄装置１０をその出力軸７０の周りに９０°毎に回転させても、スペーサ８２の取り付け角度は、不変である。
【００８３】
しかる後に、図３０に表したように、螺合突出部２０をロータンク２００の開口２０２から突出させ、ワッシャ９０及び９１を介してナット９２により、ロータンク２００の外壁を挟持した状態に固定する。この時に、図１６乃至図２１に関して前述したような傾斜ワッシャ９０、９１を用いれば、ロータンク２００の中で便器洗浄装置１０の取り付け角度を適宜調節することができる。またさらに、図２２及び図２３に関して前述したように、ワッシャ９０あるいは９１に「リブ」を設けることにより、開口２０２における隙間を吸収して、便器洗浄装置１０を確実に取り付けることが可能となる。
【００８４】
次に、図３１に表したように、ストッパ９３をネジ９４によりシャフト２２の先端に固定し、その上から手動操作用の操作ハンドル１００を圧入固定する。この時も、ストッパ９３に設けれたシャフト２２の挿入穴も、略正方形状の開口形状を有する。従って、便器洗浄装置１０をその出力軸７０の周りに９０°毎に回転させても、ストッパ９３の取り付け角度は、不変である。
【００８５】
さらに、図３２に表したように、ロータンク２００の中に水平方向に突出させたスペーサから鉛直下方に伸びる玉鎖レバー８４、８５の先端には、玉鎖２２０、２３０の一端をそれぞれ固定する。これら玉鎖２２０、２３０の他端には、図２７に表したように、上側の排水バルブ２４０と、下側の排水バルブ２５０がそれぞれ接続され、これらを引き上げることにより、洗浄水が便器３００に流される。
【００８６】
ここで、玉鎖レバー８５は、スペーサ８２に対して所定の空転角を有する。つまり、図２７中の挿入図に表したように、出力軸７０が矢印Ａの方向に回転した場合には、玉鎖レバー８４及び８５は、いずれも回転して玉鎖２２０、２３０を引き上げ、上側の排水バルブ２４０と下側の排水バルブ２５０をいずれも開く。これにより、「大」用の洗浄水が便器３００に流れる。
【００８７】
一方、図２７中の挿入図において、出力軸７０が矢印Ｂの方向に所定角度だけ回転した場合、玉鎖レバー８４はこれに連動して回転するが、玉鎖レバー８５は空転して鉛直下方を向いたままとなる。その結果、玉鎖２２０のみが引き上げられ、上側の排水バルブ２４０のみが開く。これにより、「小」用の洗浄水が便器３００に流れる。
【００８８】
ところで、本発明においては、スペーサ８２を省略してもよい。すなわち、図３３に例示した如く、便器洗浄装置１０のシャフト８０に玉鎖レバー８４を直接、差し込んで、ピン８６により固定することができる。この時、シャフト８０に固定用の溝８０Ａ、８０Ｂなどを適宜設けておくとよい。すなわち、これら固定用の溝８０Ａ、８０Ｂとピン８６とが嵌合することにより、玉鎖レバー８４を確実に固定できる。複数の固定用の溝８０Ａ、８０Ｂの中から最適なものを選択することにより、多様なロータンクに適合させることができる。
【００８９】
なお、部品を共用して部品点数を減らすためには、玉鎖レバー８４は、図２９などに表したように、スペーサ８２の先端部８２Ｂに挿入取り付け可能とすると同時に、図３３に表したように、シャフト８０にも挿入取り付け可能とすることが望ましい。
【００９０】
このためには、スペーサ８２の先端部８２Ｂの断面形状と、シャフト８０の断面形状と、を実質的に同一とすればよい。換言すると、シャフト８０が挿入されるスペーサ８２の接続部８２Ｂの挿入穴の形状（円滑な挿入のための寸法差を除けば、シャフト８０の断面形状と実質的に同一である）と、スペーサ８２の先端部８２Ｂの断面形状とを略同一とすればよい。この際に、スペーサ８２に対してシャフト８０を円滑に挿入するためには、接続部８２Ｂの挿入穴のサイズは、シャフト８０よりもやや大きくするとよい。なお、シャフト８０の断面形状とスペーサ８２の先端部８２Ｂの断面形状とは、完全に同一である必要はなく、後述する玉鎖レバー８４の挿入穴８４Ｈが回転不可能に挿入することができる程度に、実質的に同一であればよい。
【００９１】
このようにすれば、玉鎖レバー８４は、スペーサ８２の先端部８２Ｂに対しても挿入固定でき、同時に、シャフト８０にも挿入固定できる。その結果として、部品を共用化でき、部品点数を減らすと同時に現場で施工する際にも、部品のとり違いなどの問題を解消できる。
【００９２】
そして、便器洗浄装置１０の出力軸７０（あるいは７２）から玉鎖レバー８４までの距離を広い範囲内で調節できるので、ロータンクの内部に設けられているオーバーフロー管２６０や給水パイプ２７０などの各種の要素と干渉することなく、玉鎖レバー８４を円滑に回転動作させることができる。その結果として、広範な形式のロータンクに適合する便器洗浄装置を提供できる。
【００９３】
さらに、本発明においては、玉鎖レバー８４の取り付けの向きを変えることによって、玉鎖の引き上げ量を可変とできる。以下、この点について、図３４乃至図３９を参照しつつ説明する。
【００９４】
図３４は、玉鎖レバー８４の取り付け方向を説明するための模式図である。  
同図に例示した如く、玉鎖レバー８４は、Ａの向きにも、その反対のＢの向きにも、シャフト８０に挿入して固定できる。
【００９５】
図３５は、玉鎖レバー８４の構造を例示する模式図である。すなわち、同図（ａ）はその上面図、（ｂ）は左側面図、（ｃ）は縦断面図、（ｄ）は右側面図、（ｅ）は下面図である。  
本具体例の玉鎖レバー８４には、略十字状の挿入穴８４Ｈが設けられている。この挿入穴８４Ｈは、シャフト８０の略十字状断面と整合し、シャフト８０に挿入して空転を防ぐことができる。また、挿入穴８４Ｈとシャフト８０の断面形状がそれぞれ４次の回転対称であるので、図１４及び図１５に関して前述したように、４通りの取り付け角度のうちのいずれかを任意に選択することもできる。
【００９６】
そして、本発明においては、玉鎖レバー８４の突出方向Ｐを挿入穴８４Ｈの対称軸に対して傾斜させることにより、玉鎖の引き上げ量を種々に変えることができる。  
図３６は、便器洗浄装置１０の回転角度範囲を例示した模式図である。すなわち、この具体例の場合、「小」の洗浄水を流す際にはシャフト８０は矢印Ａの方向に８０°回転し、「大」の洗浄水を流す際にはシャフト８０は矢印Ｂの方向に１１０°回転する。これに対して、現存する手動式のロータンクにおける「大」と「小」のための回転角度は様々である。  
例えば、図３７に表したように、手動式の操作ハンドルの回転角度が「大」の回転角度は１２５°で、「小」の回転角度は６５°のロータンクが存在する（タイプＩ）。一方、「大」と「小」のいずれの回転角度も９５°であるロータンクが存在する（タイプＩＩ）。本発明においては、玉鎖レバー８４の取り付け向きを反転させることにより、便器洗浄装置１０をこれらいずれのロータンクに対しても適合させることができる。
【００９７】
図３８及び図３９は、玉鎖レバー８４の取り付け方向を反転させた場合の回転角度を表す模式図である。すなわち、これらの図は、図３６の矢印Ｚの方向から眺めた模式図である。
【００９８】
図３８に例示した取り付け方向の場合、玉鎖レバー８４は、同図（ａ）に表したように、中立状態において鉛直下方から左回転方向に１５°傾斜している。この状態から便器洗浄装置のシャフト８０が時計回りに８０°回転すると、同図（ｂ）に表したように、玉鎖レバー８４の傾斜角度は鉛直下方から６５°となる。  
一方、図３８（ｃ）に表したように、シャフト８０が反時計回りに１１０°回転すると、玉鎖レバー８４の傾斜角度は鉛直下方から１２５°となる。
【００９９】
つまり、玉鎖レバー８４をシャフト８０に対してこの向きに取り付けた場合、「小」の動作として６５°、「大」の動作として１２５°の回転角度にほぼ対応する玉鎖の引き上げ量が得られる。
【０１００】
これに対して、図３９に表した具体例の場合、玉鎖レバー８４は、図３８とは反対向きにシャフト８０に挿入されている。すなわち、同図（ａ）に表したように、玉鎖レバー８４は、中立状態において鉛直下方から右回転方向に１５°傾斜している。この状態からシャフト８０が時計回りに８０°回転すると、同図（ｂ）に表したように、玉鎖レバー８４の傾斜角度は鉛直下方から９５°となる。  
一方、図３９（ｃ）に表したように、シャフト８０が反時計回りに１１０°回転すると、玉鎖レバー８４の傾斜角度はやはり鉛直下方から９５°となる。
【０１０１】
つまり、玉鎖レバー８４をシャフト８０に対してこの向きに取り付けた場合、「小」と「大」のいずれの動作としても９５°の回転角度にほぼ対応する玉鎖の引き上げ量が得られる。なおこの際に、図３５（ａ）に表したように、玉鎖レバー８４に挿入方向を識別するためのマーク８４Ｍ（同図においては、「Ｅ」および「Ｃ」と表されている）を設けると、挿入方向を間違えることなく組み立てを確実に行うことができる。
【０１０２】
以上説明したように、本発明においては、玉鎖レバー８４をシャフト８０に対して反転して挿入可能とし、さらに、その突出方向Ｐを挿入穴８４Ｈの対称軸Ｓに対して傾斜させることにより、「大」と「小」に対応する玉鎖の引き上げ量をそれぞれ可変とすることができる。その結果として、多様な形式のロータンクに適合する便器洗浄装置を提供できる。
【０１０３】
次に、「前ハンドル型」のロータンクについて説明する。  
図４０は、「前ハンドル型」のロータンクに、本実施例の便器洗浄装置を取り付けた状態を表す斜視図である。また、図４１は、このロータンク２００の内部を上方から眺めた模式図である。  
また、図４２は、第２の出力軸７２にバルブ駆動用部品を取り付ける組み立て図であり、図４３及び図４４は、この便器洗浄装置をロータンク２００に取り付ける組み立て図である。
【０１０４】
すなわち、「前ハンドル型」の場合、図４２に表したように、ストロークの長い玉鎖レバー８７をネジ８８により固定する。なお、玉鎖レバー８７の取り付け部には、突起８７Ｒが設けられている。この突起８７Ｒは、ネジ８８の受け部としての役割とともに、図６及び図７に関して前述したように、出力軸７２の脇に設けられたリブ７２Ｒ（図示せず）と協働して「ストッパ」として作用する。つまり、突起８７Ｒがリブ７２Ｒと当接することにより、玉鎖レバー８７の回転が停止する。このようにして、玉鎖レバー８７の過度の回転を防ぐことができる。
【０１０５】
なお、図２５に関して前述したように、第２の出力軸７２の回転トルクは、第１の出力軸７０の回転トルクよりも大きい。従って、第２の出力軸７２の脇にリブ７２Ｒを設けて「ストッパ」として作用させようとすると、リブ７２Ｒに対する機械的な負荷が大きく、破損するおそれもあり得る。このような場合には、第１の出力軸７０を用いて「ストッパ」作用を得ることもできる。つまり、図６及び図７に例示したような突起８０Ｒを有する角度規制部材を第１の出力軸７０に取り付ける。第１の出力軸７０の脇に設けられたリブ７０Ｒと、突起８０Ｒとが当接することにより、第１の出力軸７０の回転範囲が規制される。図２５に関して前述したように、第１の出力軸７０と第２の出力軸７２とは連動するので、第２の出力軸７２の回転範囲を規制することができる。
【０１０６】
さて、図４３に表したように、玉鎖レバー８７を取り付けたら、図４３に表したように、螺合突出部２０をロータンク２００の開口２０２から突出させて固定する。この時にも、図１６乃至図２１に関して前述したような傾斜ワッシャ９０、９１を用いれば、ロータンク２００の中で便器洗浄装置１０の取り付け角度を適宜調節することができる。またさらに、図２２及び図２３に関して前述したように、ワッシャ９０あるいは９１に「リブ」を設けることにより、開口２０２における隙間を吸収して、便器洗浄装置１０を確実に取り付けることが可能となる。
【０１０７】
次に、図４４に表したように、手動操作用の操作ハンドル１００を装置する。そして、図４５に表したように、玉鎖レバー８７に玉鎖２２０を固定する。
【０１０８】
「前ハンドル型」のロータンクの場合、図４０中の挿入図に表したように、辺器洗浄装置１０の第２の出力軸７２の回転動作により、ストロークの長い玉鎖レバー８７が矢印Ａの方向に回転し、その先端付近に固定された玉鎖２２０を引き上げて、排水バルブ２４０が開く。本具体例のほうが、図２７に表したものよりも玉鎖の引き上げに必要な回転トルクが高いが、第１の出力軸７０よりも高い減速比を有する第２の出力軸７２からの出力を用いることにより、確実且つ迅速に排水動作をさせることができる。
【０１０９】
そして、本発明によれば、図１に関して前述した如く、便器洗浄装置のモータ及び減速手段に独特の配置関係を与えることにより、構造が異なる各種のロータンクの内部に収容することが容易となり、各種のロータンクに適合可能な便器洗浄装置を提供できる。
【０１１０】
次に、図５９（ｃ）に例示したいわゆる「隅付き型」のロータンクに本発明の便器洗浄装置を取り付けた実施例について説明する。  
図４６は、隅付き型のロータンクに用いて好適な玉鎖レバー８４を取り付けた便器洗浄装置１０を表す模式図である。すなわち、隅付き型のロータンクの場合、操作ハンドルから玉鎖までの距離が極めて短い。そこで、図４６に表したように、玉鎖レバー８４を便器洗浄装置１０の第１の出力軸７０に直接固定している。また、玉鎖レバー８４は、略Ｕ字状に屈曲し、便器洗浄装置１０から玉鎖までの距離が短くなるような形状とされている。つまり、玉鎖レバー８４は、第１の出力軸７０または第２出力軸７２に固定される固定部８４Ａと、一端が固定部８４Ａに接続された略Ｕ字状の屈曲部８４Ｂと、屈曲部８４Ｂの他端に接続された玉鎖接続部８４Ｃと、を有する。
【０１１１】
図４７は、既設の隅付き型のロータンクにおいて、手動ハンドルを取り外す工程を表す模式図である。すなわち、排水バルブ２４０に接続された玉鎖２２０を手動レバー２２５から外す。  
そして、図４８に表したように、固定用ナット２２６を緩めて、パッキン２２７とともに、手動レバー２２５とハンドル２２８をロータンク２００から取り外す。
【０１１２】
次に、図４９に表したように、便器洗浄装置１０をナット９２によってロータンク２００の壁面に固定する。すなわち、螺合突出部２０をロータンク２００の開口２０２から突出させ、ワッシャ（図示せず）を適宜介して、ナット９２によりロータンク２００の外壁を挟持した状態に固定する。この時にも、図１６乃至図２１に関して前述したような傾斜ワッシャ９０、９１を用いれば、ロータンク２００の中で便器洗浄装置１０の取り付け角度を適宜調節することができる。またさらに、図２２及び図２３に関して前述したように、ワッシャ９０あるいは９１に「リブ」を設けることにより、開口２０２における隙間を吸収して、便器洗浄装置１０を確実に取り付けることが可能となる。
【０１１３】
次に、図５０（ａ）に表したように、ストッパ９３をネジ９４によりシャフト２２の先端に固定し、その上から手動操作用の操作ハンドル１００を圧入固定する。この時も、ストッパ９３に設けれたシャフト２２の挿入穴も、略正方形状の開口形状を有する。従って、便器洗浄装置１０をその出力軸７０の周りに９０°毎に回転させても、ストッパ９３の取り付け角度は、不変である。  
そして、図５０（ｂ）に表したように、「大」と「小」の回転方向を表したシール１０５を操作ハンドル１００に貼り付ける。
【０１１４】
しかる後に、図５１に表したように、ロータンク２００の中に突出させた玉鎖レバー８４の先端に、玉鎖２２０の一端を固定する。玉鎖２２０の他端には、図４７に表したように、排水バルブ２４０が接続され、これらを引き上げることにより、洗浄水が便器に流される。なお、玉鎖２２０を玉鎖レバー８４に固定する際には、まず図５１（ａ）に表したように、排水バルブ２４０が持ち上がらない程度の張力で玉鎖２２０を張った後に、同図（ｂ）に表したように玉鎖２２０を１〜２玉程度緩めてから固定するとよい。
【０１１５】
図５２は、玉鎖レバー８４や玉鎖２２０が、オーバーフロー管２６０や給水パイプ２７０などと干渉することなく取り付けられた状態をタンク上方から眺めた模式図である。
【０１１６】
しかる後に、図５３に表したように、接続コード７６を適宜固定し、ロータンクの蓋２１０を設置する。この際に、接続コード７６は、蓋２１０の側面に設けられた切り欠き部２１０Ｈから外側に取り出すようにすると接続コード７６を蓋２１０によりつぶすことがない。
【０１１７】
以上説明したように、本発明によれば、玉鎖レバー８４の形状を工夫することよって、既設の「隅付き型」のロータンクにも便器洗浄装置１０を取り付けることができる。その結果として、その結果として、ユーザは、隅付き型ロータンクを買い換えることなく電動洗浄の恩恵に浴することができる。
【０１１８】
次に、本発明の便器洗浄装置を用いた便器洗浄システムについて説明する。  
図５４は、本発明の便器洗浄システムを表すブロック図である。  
すなわち、本発明の便器洗浄システムにおいては、便器洗浄装置１０は、制御部５００に接続されている。そして、この制御部５００は、操作部５１０と駆動部５２０とを有する。操作部５１０は、例えば、便器の洗浄を開始させるためのスイッチなどを有し、使用者の意志を入力可能とした部分である。一方、駆動部５２０は、便器洗浄装置１０に内蔵されたモータ４２に対して駆動信号を供給しその動作を制御する部分である。
【０１１９】
操作部５１０と駆動部５２０とは、図５４（ａ）に表したように、有線により接続することができる。この場合、操作部５１０と駆動部５２０とが、別体として形成され、配線により接続されていてもよく、または、これら操作部５１０と駆動部５２０とが一体的に設けられていてもよい。いずれの場合でも、これら操作部５１０や駆動部５２０は、例えば、手洗い室の中において、ロータンク２００の周囲や、便器３００の周囲などに、適宜配置することができる。
【０１２０】
また、図５４（ｂ）に表したように、無線により操作部５１０から駆動部５２０に操作信号を送出してもよい。なお、この場合の信号搬送媒体としては、赤外線などの光、電波、音など、各種のものを用いることが可能である。
【０１２１】
以下に具体例として説明するように、例えば、これら操作部５２０及び駆動部５２０のいずれかに人体検知センサ（人感センサ）を設けることにより、いわゆる「自動洗浄」も可能となる。
【０１２２】
以下、本発明の便器洗浄システムの望ましい実施の形態として、制御部５００を便座に設けた具体例について説明する。
【０１２３】
図５５は、便座から便器洗浄装置の制御を実施する便器洗浄システムを例示する模式図である。  
また、図５６及び図５７は、便器洗浄装置１０と便座４００との接続を例示する模式図である。
【０１２４】
すなわち、便器３００の上に設けられた便座４００の背面に接続口４０２が設けられている。そして、ロータンク２００の中に収容された便器洗浄装置１０に接続された接続コード７６は、ロータンク２００の背面に設けられた空気抜き穴２９０から引き出され、その先端の接続プラグ７８が便座４００の接続口４０２に接続される。
【０１２５】
便座４００には、図示しない操作部５１０と駆動部５２０とが内蔵され、例えば、ＤＣ２４ボルトの駆動信号を適宜供給することより、便器洗浄装置１０の動作を適宜制御することができる。つまり、使用者は、ロータンク２００に設けられた操作ハンドル１００を操作することなく、便座４００に設けられた手元スイッチ（操作部５１０）を操作することによって洗浄水を便器に流すことができ、便利である。
【０１２６】
また、便座４００（制御部５００）に人感センサ４１０を設け、例えば、使用者が近づいた時、または便座４００に着座した時に、予備洗浄水を流すように便器洗浄装置１０を動作させることができる。つまり、便器３００が使用される前に、予備洗浄水を流してその内面を濡らした状態とすることにより、汚物などの付着を抑制することができ清潔である。
【０１２７】
また一方、人感センサ４１０により、使用者が離れた時、または便座４００から立ち上がった時に、自動的に洗浄水を便器３００に流すように便器洗浄装置１０を動作させることもできる。このようにすれば、いわゆる「自動洗浄」が可能であり、お年寄りや身体障害者あるいは子供などに対しても使い勝手のよい便器洗浄システムが実現できる。
【０１２８】
またさらに、このような便座に、いわゆる局部洗浄装置を組み合わせることもできる。すなわち、便座４００に腰掛けた使用者の局部を水（温水）により洗浄する装置を組み込むことより、さらに高機能で使い勝手に優れた便器洗浄システムが実現される。この場合、例えば局部洗浄の終了に対応して洗浄水を流すように便器洗浄装置１０を動作させることもできる。
【０１２９】
また、本発明の便器洗浄システムにおいては、リモートコントロールにより操作することもできる。  
図５８は、このような用途に用いることができるリモートコントロール装置を例示する模式図である。このリモートコントロール装置（操作部５１０）は、例えば、図５５に表した便座４００に内蔵された駆動部５２０に操作信号を適宜送信し、便器洗浄装置１０を動作させることができる。また、便座４００に組み込まれた局部洗浄装置の動作も併せて制御可能としてもよい。さらにまた、このリモートコントロール装置（操作部５１０）に人感センサを組み込んで、前述の如く予備洗浄水を流したり、自動洗浄を実行させることもできる。
【０１３０】
このようなリモートコントロール装置（操作部５１０）を手洗い室の壁面などに適宜設けておけば、使用者は、手元で各種の操作を実行でき、非常に使い勝手のよい便器洗浄システムが実現できる。
【０１３１】
そして、本発明によれば、便器洗浄装置１０に第１及び第２の出力軸を設けることにより、既存の各種のロータンクに適合させることができる。従って、ユーザは、ロータンクを新たに買い換えることなく、便器洗浄装置１０及びこれを用いた便器洗浄システムを導入することができる。その結果、前述した自動洗浄を始めたとした各種の機能を有する使い勝手のよい水洗便器を低いコストで実現でき便利である。
【０１３２】
以上具体例を参照しつつ本発明の実施の形態について説明した。しかし、本発明は、これらの具体例に限定されるものではない。  
すなわち、本発明の便器洗浄装置及び便器洗浄システムを構成する要素について当業者が設計変更を加えたものであっても、本発明の要旨を備えたものであれば、本発明の範囲に包含される。
【０１３３】
例えば、便器洗浄装置１０の外形状、サイズ、内蔵するモータ４２の種類、減速手段が有するギアの数やそれらの減速比、あるいはこれらの配置関係などについては、当業者が適宜設計変更を加えたものも、本発明の要旨を含む限り本発明の範囲に包含される。  
また、便器洗浄システムを構成する制御部５００、操作部５１０及び駆動部５２０の形状や構造あるいはそれらの配置関係についても、当業者が適宜設計変更を加えたものも本発明の範囲に包含される。
【図面の簡単な説明】
【０１３４】
【図１】本発明の実施の形態にかかる便器洗浄装置の要部配置関係を表す概念図である。
【図２】本発明者が本発明に至る過程で検討した比較例の便器洗浄装置を表す概念図である。
【図３】本発明者が本発明に至る過程で検討した比較例の便器洗浄装置を表す概念図である。
【図４】本発明の実施例の便器洗浄装置の要部を表す斜視図である。
【図５】シャフト８０が装着された便器洗浄装置１０をそれぞれ異なる方向なら眺めた模式図である。
【図６】シャフト８０が装着された便器洗浄装置１０をそれぞれ異なる方向なら眺めた模式図である。
【図７】シャフト８０が装着された便器洗浄装置１０をそれぞれ異なる方向なら眺めた模式図である。
【図８】シャフト８０が装着された便器洗浄装置１０をそれぞれ異なる方向なら眺めた模式図である。
【図９】シャフト８０が装着された便器洗浄装置１０をそれぞれ異なる方向なら眺めた模式図である。
【図１０】シャフト２２の側から眺めた模式図である。
【図１１】シャフト２２の側から眺めた模式図である。
【図１２】便器洗浄装置１０の下側の「張り出し」を最小にすることができる取り付け角度を表す模式図である。
【図１３】便器洗浄装置１０の上側の「張り出し」を最小にできる取り付け角度を表す模式図である。
【図１４】（ａ）〜（ｃ）は、それぞれ５次、６次、８次の回転対称の基本形を表す概念図である。
【図１５】８次の回転対称の断面の具体例を表す模式図である。
【図１６】傾斜ワッシャを介してロータンクに便器洗浄装置を取り付ける工程を表す組み立て図である。
【図１７】傾斜ワッシャを用いた便器洗浄装置の取り付け部を拡大した一部断面図である。
【図１８】ワッシャ９０をその上方が厚くなるように配置し、ワッシャ９１はその下方が厚くなるように配置して便器洗浄装置１０をロータンク２００に取り付ける工程を表す組み立て図である。
【図１９】ロータンク２００の内部において、便器洗浄装置１０の先端が矢印の方向に下がるように取り付けられることを表す模式図である。
【図２０】ワッシャ９０は向かって右側が厚くなるように配置し、ワッシャ９１は向かって左側が厚くなるように配置して便器洗浄装置１０をロータンク２００に取り付ける工程を表す組み立て図である。
【図２１】ロータンク２００の内部において、便器洗浄装置１０が矢印の方向（向かって左側）に傾斜するように取り付けられることを表す模式図である。
【図２２】リブ９０Ａが設けられた傾斜ワッシャ９０を表す模式図である。
【図２３】リブ９０Ａを有する傾斜ワッシャの取り付け部を拡大した一部断面図である。
【図２４】接続コード７６の取り出し部を表す模式図である。
【図２５】本発明の実施例の便器洗浄装置の内部構造を模式的に表した概念図である。
【図２６】ギア４６とシャフト２２との結合断面を表す模式図である。
【図２７】「右ハンドル型」のロータンクに、本実施例の便器洗浄装置を取り付けた状態を表す斜視図である。
【図２８】ロータンク２００の内部を上方から眺めた模式図である。
【図２９】第１の出力軸７０にバルブ駆動用部品を取り付ける組み立て図である。
【図３０】本発明の便器洗浄装置をロータンク２００に取り付ける組み立て図である。
【図３１】本発明の便器洗浄装置をロータンク２００に取り付ける組み立て図である。
【図３２】玉鎖レバー８４、８５の先端に玉鎖２２０、２３０の一端をそれぞれ固定する様子を表す模式図である。
【図３３】便器洗浄装置１０のシャフト８０に玉鎖レバー８４を直接、差し込んで、ピン８６により固定する様子を表す模式図である。
【図３４】玉鎖レバー８４の取り付け方向を説明するための模式図である。
【図３５】玉鎖レバー８４の構造を例示する模式図である。
【図３６】便器洗浄装置１０の回転角度範囲を例示した模式図である。
【図３７】手動式の操作ハンドルの回転角度について説明するための模式図である。
【図３８】玉鎖レバー８４の取り付け方向を反転させた場合の回転角度を表す模式図である。
【図３９】玉鎖レバー８４の取り付け方向を反転させた場合の回転角度を表す模式図である。
【図４０】「前ハンドル型」のロータンクに、本実施例の便器洗浄装置を取り付けた状態を表す斜視図である。
【図４１】ロータンク２００の内部を上方から眺めた模式図である。
【図４２】第２の出力軸７２にバルブ駆動用部品を取り付ける組み立て図である。
【図４３】本発明の便器洗浄装置をロータンク２００に取り付ける組み立て図である。
【図４４】本発明の便器洗浄装置をロータンク２００に取り付ける組み立て図である。
【図４５】玉鎖レバー８７に玉鎖２２０を固定する様子を表す模式図である。
【図４６】隅付き型のロータンクに用いて好適な玉鎖レバー８４を取り付けた便器洗浄装置１０を表す模式図である。
【図４７】既設の隅付き型のロータンクにおいて、手動ハンドルを取り外す工程を表す模式図である。
【図４８】手動レバー２２５とハンドル２２８をロータンク２００から取り外す様子を表す模式図である。
【図４９】便器洗浄装置１０をナット９２によってロータンク２００の壁面に固定する様子を表す模式図である。
【図５０】ストッパ９３と操作ハンドル１００を圧入固定し、回転方向を表したシール１０５を操作ハンドル１００に貼り付ける様子を表す模式図である。
【図５１】玉鎖レバー８４の先端に、玉鎖２２０の一端を固定する様子を表す模式図である。
【図５２】玉鎖レバー８４や玉鎖２２０が、干渉することなく取り付けられた状態をタンク上方から眺めた模式図である。
【図５３】接続コード７６を適宜固定し、ロータンクの蓋２１０を設置する様子を表す模式図である。
【図５４】本発明の便器洗浄システムを表すブロック図である。
【図５５】便座から便器洗浄装置の制御を実施する便器洗浄システムを例示する模式図である。
【図５６】便器洗浄装置１０と便座４００との接続を例示する模式図である。
【図５７】便器洗浄装置１０と便座４００との接続を例示する模式図である。
【図５８】リモートコントロール装置を例示する模式図である。
【図５９】既存のロータンクの形態のいくつかを例示する模式図である。
【符号の説明】
【０１３５】
１０ 便器洗浄装置
２０ 螺合突出部
２２ シャフト
４０ 駆動部
４２ モータ
４２Ａ 駆動軸
７０ 第１の出力軸
７０Ｒ リブ
７２ 第２の出力軸
７２Ｒ リブ
７５ 耐水シール部
７６ 接続コード
７７ 固定部
８０ シャフト
８０Ｒ 突起
８１ ネジ
８２ スペーサ
８３、８６ ピン
８４、８５、８７ 玉鎖レバー
９３ ストッパ
９４ ネジ
１００ 操作ハンドル
２００ ロータンク
２０２ 開口
２２０ 玉鎖
２４０、２５０ 排水バルブ
３００ 便器
４００ 便座
４１０ 人感センサ
５００ 制御部
５１０ リモートコントロール装置（操作部）
５２０ 駆動部
【図１】
2005036634.tif 000003
【図２】
2005036634.tif 000004
【図３】
2005036634.tif 000005
【図４】
2005036634.tif 000006
【図５】
2005036634.tif 000007
【図６】
2005036634.tif 000008
【図７】
2005036634.tif 000009
【図８】
2005036634.tif 000010
【図９】
2005036634.tif 000011
【図１０】
2005036634.tif 000012
【図１１】
2005036634.tif 000013
【図１２】
2005036634.tif 000014
【図１３】
2005036634.tif 000015
【図１４】
2005036634.tif 000016
【図１５】
2005036634.tif 000017
【図１６】
2005036634.tif 000018
【図１７】
2005036634.tif 000019
【図１８】
2005036634.tif 000020
【図１９】
2005036634.tif 000021
【図２０】
2005036634.tif 000022
【図２１】
2005036634.tif 000023
【図２２】
2005036634.tif 000024
【図２３】
2005036634.tif 000025
【図２４】
2005036634.tif 000026
【図２５】
2005036634.tif 000027
【図２６】
2005036634.tif 000028
【図２７】
2005036634.tif 000029
【図２８】
2005036634.tif 000030
【図２９】
2005036634.tif 000031
【図３０】
2005036634.tif 000032
【図３１】
2005036634.tif 000033
【図３２】
2005036634.tif 000034
【図３３】
2005036634.tif 000035
【図３４】
2005036634.tif 000036
【図３５】
2005036634.tif 000037
【図３６】
2005036634.tif 000038
【図３７】
2005036634.tif 000039
【図３８】
2005036634.tif 000040
【図３９】
2005036634.tif 000041
【図４０】
2005036634.tif 000042
【図４１】
2005036634.tif 000043
【図４２】
2005036634.tif 000044
【図４３】
2005036634.tif 000045
【図４４】
2005036634.tif 000046
【図４５】
2005036634.tif 000047
【図４６】
2005036634.tif 000048
【図４７】
2005036634.tif 000049
【図４８】
2005036634.tif 000050
【図４９】
2005036634.tif 000051
【図５０】
2005036634.tif 000052
【図５１】
2005036634.tif 000053
【図５２】
2005036634.tif 000054
【図５３】
2005036634.tif 000055
【図５４】
2005036634.tif 000056
【図５５】
2005036634.tif 000057
【図５６】
2005036634.tif 000058
【図５７】
2005036634.tif 000059
【図５８】
2005036634.tif 000060
【図５９】
2005036634.tif 000061